(57)【要約】【課題】電源投入時から操作部に表示データが出力されるまでのタイムラグをシステム全体として最短化しユーザーに不信感を与えることのない画像形成装置を提供する。【解決手段】外部装置１〜３：１１３〜１１５が接続されていなければ電源投入時であるか否かを問わず操作部１０９の制御を操作部制御手段１０２に行わせるが、外部装置１〜３：１１３〜１１５が接続されている状態であっても当該画像形成装置の電源投入時は操作部１０９の制御を操作部制御手段１０２に行わせる一方、予め定められた所定時間経過した時点で操作部１０９の制御を接続手段１０６を介して外部装置１〜３：１１３〜１１５に行わせることによって、電源投入時から操作部１０９に表示データが出力されるまでのタイムラグをシステム全体として最短化させることができ、ユーザーに不信感を与えることがないようにした。【選択図】    図１
2004266422.tif 000002
【特許請求の範囲】
【請求項１】
各種情報の表示及び入力を行うための操作部と、
この操作部を制御する操作部制御手段と、
機能を拡張するために、外部装置を画像形成装置本体に対して接続する接続手段と、
この接続手段により前記外部装置が接続されているか否かを検知する接続検知手段と、
この接続検知手段により前記外部装置が接続されていないと検知されたときには前記操作部の制御を前記操作部制御手段に行わせる一方、前記外部装置が接続されていると検知されたときには前記操作部の制御を前記操作部制御手段又は前記接続手段を介して前記外部装置の何れかに行わせるように切替える操作部制御切替手段と、
を備え、
前記操作部制御切替手段は、前記外部装置が接続されている状態での当該画像形成装置の電源投入時には前記操作部の制御を前記操作部制御手段に行わせ、予め設定された所定時間経過後には前記操作部の制御を前記接続手段を介して前記外部装置に行わせるように切替える画像形成装置。
【請求項２】
電源投入に伴い予め設定された所定時間を計数して前記操作部制御切替手段に制御切替信号を出力するタイマ手段を備える請求項１記載の画像形成装置。
【請求項３】
前記タイマ手段が計数する所定時間に関する情報を書換え自在に格納する不揮発性メモリを備える請求項２記載の画像形成装置。
【請求項４】
前記操作部制御切替手段は、電源投入後に前記画像形成装置本体側用の制御プログラムと前記外部装置側用の制御プログラムとの整合がとれたタイミングを所定時間経過タイミングとして前記画像形成装置本体側用の制御プログラムに従い前記操作部の制御を前記接続手段を介して前記外部装置に行わせるように切替える請求項１記載の画像形成装置。
【請求項５】
各種情報の表示及び入力を行うための操作部と、
この操作部を制御する操作部制御手段と、
機能を拡張するために、外部装置を画像形成装置本体に対して接続する接続手段と、
この接続手段により前記外部装置が接続されているか否かを検知する接続検知手段と、
この接続検知手段により前記外部装置が接続されていないと検知されたときには前記操作部の制御を前記操作部制御手段に行わせる一方、前記外部装置が接続されていると検知されたときには前記操作部の制御を前記操作部制御手段又は前記接続手段を介して前記外部装置の何れかに行わせるように切替える操作部制御切替手段と、
を備え、
前記操作部制御切替手段は、前記操作部に対する制御データの転送中であっても前記操作部の制御に関する切替えが自在である画像形成装置。
【請求項６】
前記操作部制御切替手段は、前記操作部に対して前記画像形成装置本体側と前記外部装置側との双方の制御パス上に各々送受信バッファを備えて前記操作部の制御に関する切替えが自在である請求項５記載の画像形成装置。
【請求項７】
前記操作部制御切替手段は、前記画像形成装置本体側と前記外部装置側とに共有されて、前記操作部の制御に関する切替えが可能であることを示すフラグを格納する記憶手段を備える請求項５又は６記載の画像形成装置。
【請求項８】
前記操作部制御切替手段は、前記操作部に対する画面データの転送中は所定タイミングまで前記操作部の制御に関する切替えを不可とする切替制限手段を備える請求項５又は６記載の画像形成装置。
【請求項９】
前記操作部制御切替手段は、前記画像形成装置本体側と前記外部装置側とに共有されて、前記操作部の制御に関する切替えが可能となる所定タイミングを示すフラグを格納する記憶手段を備える請求項８記載の画像形成装置。
【請求項１０】
前記フラグは、バイナリフラグである請求項７記載の画像形成装置。
【請求項１１】
前記フラグは、当該所定タイミングまでの計数値を示す計数フラグである請求項９記載の画像形成装置。
【請求項１２】
複写機構成の前記画像形成装置本体に対して、前記外部装置は、スキャナユニット、プリンタユニット、ファックスユニットのうちの少なくとも一つである請求項１ないし１１の何れか一記載の画像形成装置。
【発明の詳細な説明】
【０００１】
【発明の属する技術分野】
本発明は、外部装置を接続可能な複合機能を有する画像形成装置に関する。
【０００２】
【従来の技術】
従来、画像形成装置に外部装置を追加することにより、複合機能を実現する装置、例えば、デジタル複写機が広く普及してきている。
【０００３】
例えば、特許文献１記載の複合画像形成装置は、外部装置の制御又は機器設定に必要な情報を各外部装置側に蓄積し、適切なタイミングで画像形成装置本体側に転送させることにより、画像形成装置本体に対して任意に拡張接続される各外部装置固有の情報を記憶するための画像形成装置本体側の負担を大幅に軽減している。
【０００４】
一般に、このような複合機能を達成するための操作部制御には、次の３種類の方法が用いられている。
【０００５】
（ａ）  本体制御部が操作部制御を行い、外部装置側で操作部が必要な場合には、一旦コマンド等で本体制御部にデータを渡して、操作部制御を行ってもらう方法。換言すれば、本体制御部で複合機能の全操作部制御を行う方法。
【０００６】
（ｂ）  操作部側に本体制御部側とのＩ／Ｆと外部装置側とのＩ／Ｆを独立して設け、外部装置側で操作部が必要な場合には、直接、外部装置から操作部制御を行う方法。
【０００７】
（ｃ）  操作部側に制御用ＣＰＵを設け、操作部自体が操作部の制御を行う。表示データのやりとり等は操作部と本体制御部又は外部装置との間でコマンドとして行われる。
【０００８】
図８〜図１０は、画像形成装置（例えば、複写機）に搭載された従来の操作部制御方式の一例を示した概略ブロック図である。このうち、図８は、外部装置非接続状態での制御例を示し、図９は、外部装置接続状態での制御例を示している。
【０００９】
図８に示すような非接続状態において、メイン制御板５０１に搭載されたＣＰＵ（中央処理装置）５０２はＲＯＭ（リード・オンリ・メモリ）５０３に格納されたプログラムに従って画像形成装置本体である複写機全体（図示せず）の制御を行う。さらに、メイン制御板５０１に搭載されたＲＯＭ５０３は、操作部制御データ（主として表示データ）を格納している。５０４はＲＡＭ（ランダム・アクセス・メモリ）である。
【００１０】
操作部５０９はオペレータによる操作を受付けるキー入力部５１１及び画像形成装置の状態を表示する表示部５１２を備えている。このキー入力部５１１のデータスキャン及び表示部５１２の表示制御はスレーブ側操作部制御ＩＣ５１０によって行われる。
【００１１】
ＣＰＵ５０２が操作部５０９上の入力データの取込み及び表示データの変更を行いたい場合はメイン制御板５０１に搭載されたマスター側操作部制御ＩＣ５０５を用いて行う。ＣＰＵ１０２は必要な操作をコマンドによってマスター側操作部制御ＩＣ５０５に通達する。マスター側操作部制御ＩＣ５０５は入力されたコマンド（入力データの取込みなのか表示データの変更なのか）に従い同期シリアル通信データを生成し、スレーブ側操作部制御ＩＣ５１０に送信する。
【００１２】
スレーブ側操作部制御ＩＣ５１０は、受信したデータに従って、入力データの取込みの場合は入力データをマスター側操作部制御ＩＣ５０５に送信し、表示データの変更の場合はデータに従い表示データを変更する。
【００１３】
これに対し、図９は、従来の操作部制御方式（外部装置接続時）の一例である。外部装置１〜３：５１３〜５１５はＵＡＲＴ１〜３：５０６〜５０８を介してメイン制御板５０１側に接続自在とされている。図示例において、例えば、外部装置１：５１３はＦＡＸユニット、外部装置２：５１４はプリンタユニット、外部装置３：５１５はスキャナユニットである。これらの外部装置１〜３：５１３〜５１５の接続によって当該複写機は、本来の複写機能だけでなく、ＦＡＸ、プリンタスキャナ等の複合機能を有することとなる。
【００１４】
ここに、複写機本体（ＣＰＵ５０２側）と各外部装置１〜３：５１３〜５１５とはメイン制御板５０１に搭載されたＵＡＲＴ１〜３：５０６〜５０８によって非同期通信を行い、各種制御情報のやり取りを行う。なお、これとは別に画像データ系のやり取りも行われることはいうまでもない。
【００１５】
次に、図９を用いて外部装置接続時の操作部制御データの流れについて説明する。一例としてユーザーがＦＡＸ画面でキー操作をした場合について説明する。
【００１６】
▲１▼  入力データの取込み
スレーブ側操作部制御ＩＣ５１０が出力した入力データをＣＰＵ５０２はマスター側操作部制御ＩＣ５０５経由で取込む。
【００１７】
▲２▼  ＦＡＸユニットへの通知
ＣＰＵ５０２は、キー操作の結果をＵＡＲＴ５０６経由でＦＡＸユニット５１３へ通知する。
【００１８】
▲３▼  ＦＡＸユニットからの通知
ＦＡＸユニット５１３は、キー操作に対応した変更後の表示データを複写機本体に通知する。ＣＰＵ５０２はＵＡＲＴ５０６経由で、変更後の表示データを受取る。
【００１９】
▲４▼  表示データの変更
ＣＰＵ５０２はマスター側操作部制御ＩＣ５０５経由で変更後の表示データをスレーブ側操作部制御ＩＣ５１０に送信する。
【００２０】
以上のようにＣＰＵ５０２は、複写機本体の制御を行いながら、上記▲１▼〜▲４▼の制御をリアルタイムで実行しなければならず、このためパフォーマンスが低下してしまう恐れがある。この場合、キー操作を行ったにも関わらず、画面変更がなかなかなされないためユーザーが不審に思ってしまう恐れがある。
【００２１】
図１０は従来の操作部制御方式（外部装置接続時）の表示部制御データに着目した場合の回路ブロック図である。制御データの流れは図８，図９で既に説明したようにＣＰＵ５０２が本体制御と拡張機能用の操作部制御との両方をリアルタイムで実行しなければならないため、パフォーマンスが低下してしまうことは、上記と同様である。
【００２２】
このような従来の技術によれば、以下の問題点がある。
【００２３】
まず、本体制御部で複合機能の全操作部制御を行う方法（ａ）によれば、本体制御部は本体制御と拡張機能用の操作部制御との両方をリアルタイムで実行しなければならないため操作部への描画速度等のパフォーマンスが十分にとれない場合があるという問題点がある。
【００２４】
特に、最近は基本機能や拡張機能の操作性を向上させるためにやや大型の液晶表示装置（ＬＣＤ）を最初から備えていたり、外部装置接続と同時に操作部に追加する画像形成装置も提案されてきたりしており、ＬＣＤ表示制御のハード／ソフトウエア処理は一般に複雑でデータ処理量も多い。従って、このデータ処理量が増えれば増えるほど上記パフォーマンスが低下してしまう欠点がある。
【００２５】
これに対し、操作部側に２系統のＩ／Ｆを設ける方法（ｂ）によれば、メイン制御部側又は拡張ボード側で描画やキースイッチの調停を行う必要があるため処理が煩雑になるという問題点や、コネクタ／ハーネスが２種類必要となるため、コストアップを招来するという欠点がある。
【００２６】
また、操作部に操作部制御用ＣＰＵを設ける方法（ｃ）によれば、操作部のコストアップは免れずコスト要求の厳しい低速機には採用しにくいという欠点がある。
【００２７】
このような点に鑑み、外部装置が接続されていない場合は、操作部の制御を画像形成装置本体が行い、外部装置が接続されている場合は、操作部の制御を画像形成装置本体又は外部装置の何れもが選択的に行えるよう操作部制御切り替え部を設けることによって、機能拡張時のパフォーマンス低下がなくコネクタ／ハーネスの追加によるコストアップもない操作部制御部を持った画像形成装置が提案されている（例えば、特許文献２参照）。この特許文献２によれば、各種情報の表示及び入力を行うための操作部と、この操作部を制御する操作部制御手段と、機能を拡張するために、外部装置を接続する接続手段と、この接続手段により外部装置と接続しているか否かを検知する接続検知手段と、を備え、接続手段が外部装置と接続していることを検知しないときは操作部の制御を操作部制御手段が行い、接続手段が外部装置と接続していることを検知したきは操作部の制御を操作部制御手段又は接続手段を介して外部装置の何れかが行えるよう切替える操作部制御切替手段を備える構成とされている。
【００２８】
【特許文献１】
特許第３２５７８４号公報
【特許文献２】
特開平２００１−２７０１９４公報
【００２９】
【発明が解決しようとする課題】
しかしながら、特許文献２による提案例によっても下記のような問題点が残っている。以下にその問題点について説明する。
【００３０】
外部装置の一つとしてプリンタコントローラ（プリンタユニット）が挙げられる。近年のプリント出力要求の増加に伴い、プリンタコントローラにネットワーク制御等の周辺Ｉ／Ｆ機能を搭載し、画像形成装置本体に標準搭載したモデルも発売されるようになってきた。この場合、ネットワーク制御等のプログラムがプリンタコントローラに搭載されることになる。更に、プリンタコントローラの高機能化に伴い、そのプログラム容量自体も増加している。
【００３１】
このような状況の中、プログラムを圧縮した上でフラッシュＲＯＭ等の不揮発性メモリに格納しておき、電源投入に伴い、フラッシュＲＯＭ内の圧縮プログラムをＤＲＡＭ等の揮発性メモリに伸張した上で実行する方式が採用されるようになってきている。このような方式であれば、一般的なｂｉｔ単価はフラッシュＲＯＭよりもＤＲＡＭの方が安価であるため、プログラム容量の増加がコストアップなく実現できることになる。
【００３２】
ここで、操作部制御について考えてみる。
【００３３】
まず、外部装置が接続されていない場合は、比較的プログラム容量の小さい本体制御部がフラッシュＲＯＭに内蔵されたプログラムで直接起動し、ほぼタイムラグなく本体側の操作部制御手段により操作部に表示データを転送する。操作部は本体制御部から送られてきたデータを表示部に表示することによりユーザーは画像形成装置が起動したことを表示部上で認識することができる。
【００３４】
また、外部装置であるプリンタコントローラが接続されている場合は、本体側の操作部制御手段は操作部の制御を行わない。
【００３５】
ここに、電源投入後、操作部はプリンタコントローラからの制御を待ち受ける状態であるがプリンタコントローラでは、まず、プログラムの圧縮、伸張作業が行われているため操作部の制御を行うまでにタイムラグが生じてしまう。プリンタコントローラ制御部の動作速度、プログラムの容量にもよるが、このタイムラグは一般的に数秒程度と予測される。この間、操作部における表示部には何の表示も出力されないため、電源投入したにも関わらずおかしいとユーザーに不信感を与えてしまう恐れがある。
【００３６】
このような事情は、特許文献１の場合も同様であり、電源投入時の表示遅れのタイムラグに関しては何ら考慮されていないものである。
【００３７】
本発明の目的は、電源投入時から操作部に表示データが出力されるまでのタイムラグをシステム全体として最短化しユーザーに不信感を与えることのない画像形成装置を提供することである。
【００３８】
本発明の目的は、加えて、プログラムが介在せず操作部に対する制御権の移行を行わせることができる画像形成装置を提供することである。
【００３９】
本発明の目的は、加えて、外部装置側のプログラムの変更等によって、操作部に対する制御権の移行時間を変更する必要が生じた場合でも本体プログラムの変更なく実現が可能な画像形成装置を提供することである。
【００４０】
本発明の目的は、加えて、画像形成装置本体と外部装置とのプログラム間で整合がとれてから任意のタイミングで制御権の移行ができる柔軟性の高い画像形成装置を提供することである。
【００４１】
本発明の別の目的は、操作部への制御データ転送中であっても、送受信中確認の処理に伴う処理時間によるパフォーマンスの低下を招くことのない画像形成装置を提供することである。
【００４２】
本発明の目的は、コマンドの送受によらず、任意のタイミングで操作部制御の切替えを可能とし、操作部制御の切替えに伴うパフォーマンスの低下を招くことのない画像形成装置を提供することである。
【００４３】
本発明の別の目的は、画面データの破壊を招くことなく、常に安定した画面データの表示が可能な画像形成装置を提供することである。
【００４４】
本発明の目的は、加えて、コマンドの送受によらず、操作部制御の切替えに伴うパフォーマンスの低下を招くことなく常に安定した画面データの表示が可能な画像形成装置を提供することである。
【００４５】
本発明の目的は、加えて、切替え制御が容易な画像形成装置を提供することである。
【００４６】
本発明の目的は、加えて、切替え可能となるまでの待ち時間を容易に把握でき最適な切替えタイミングを生成し易い画像形成装置を提供することである。
【００４７】
【課題を解決するための手段】
請求項１記載の発明は、各種情報の表示及び入力を行うための操作部と、この操作部を制御する操作部制御手段と、機能を拡張するために、外部装置を画像形成装置本体に対して接続する接続手段と、この接続手段により前記外部装置が接続されているか否かを検知する接続検知手段と、この接続検知手段により前記外部装置が接続されていないと検知されたときには前記操作部の制御を前記操作部制御手段に行わせる一方、前記外部装置が接続されていると検知されたときには前記操作部の制御を前記操作部制御手段又は前記接続手段を介して前記外部装置の何れかに行わせるように切替える操作部制御切替手段と、を備え、前記操作部制御切替手段は、前記外部装置が接続されている状態での当該画像形成装置の電源投入時には前記操作部の制御を前記操作部制御手段に行わせ、予め設定された所定時間経過後には前記操作部の制御を前記接続手段を介して前記外部装置に行わせるように切替える。
【００４８】
従って、外部装置が接続されていなければ電源投入時であるか否かを問わず操作部の制御を操作部制御手段に行わせるが、外部装置が接続されている状態であっても当該画像形成装置の電源投入時は操作部の制御を操作部制御手段に行わせ、予め定められた所定時間経過した時点で操作部の制御を接続手段を介して外部装置に行わせることによって、電源投入から操作部に表示データが出力されるまでのタイムラグをシステム全体として最短化させることができ、ユーザーに不信感を与えることがなく、画像形成装置の立上り時間も短縮化し、かつ、外部装置による操作部の制御が可能となる。
【００４９】
請求項２記載の発明は、請求項１記載の画像形成装置において、電源投入に伴い予め設定された所定時間を計数して前記操作部制御切替手段に制御切替信号を出力するタイマ手段を備える。
【００５０】
従って、請求項１記載の発明を実現する上で、操作部制御の操作部制御手段から外部装置への移行を予め定められた所定時間計数動作するタイマの制御切替信号を利用して行うことによって、プログラムを介在させずに制御権の移行を行わせることができる。
【００５１】
請求項３記載の発明は、請求項２記載の画像形成装置において、前記タイマ手段が計数する所定時間に関する情報を書換え自在に格納する不揮発性メモリを備える。
【００５２】
従って、請求項２記載の発明を実現する上で、予め定められた所定時間に関する情報を不揮発性メモリに書換え自在に格納させておくことにより、その時間を適宜変更することにより、外部装置側のプログラムの変更等によって制御権の移行時間を変更する必要が生じた場合でも本体プログラムの変更なく対応可能となる。
【００５３】
請求項４記載の発明は、請求項１記載の画像形成装置において、前記操作部制御切替手段は、電源投入後に前記画像形成装置本体側用の制御プログラムと前記外部装置側用の制御プログラムとの整合がとれたタイミングを所定時間経過タイミングとして前記画像形成装置本体側用の制御プログラムに従い前記操作部の制御を前記接続手段を介して前記外部装置に行わせるように切替える。
【００５４】
従って、電源投入時の操作部制御の制御権の操作部制御手段から外部装置への移行を、画像形成装置本体側用と外部装置側用との各々の制御プログラムの整合がとれた後のタイミングで制御プログラムにより行わせることにより、柔軟性の高い対応が取れる。
【００５５】
請求項５記載の発明は、各種情報の表示及び入力を行うための操作部と、この操作部を制御する操作部制御手段と、機能を拡張するために、外部装置を画像形成装置本体に対して接続する接続手段と、この接続手段により前記外部装置が接続されているか否かを検知する接続検知手段と、この接続検知手段により前記外部装置が接続されていないと検知されたときには前記操作部の制御を前記操作部制御手段に行わせる一方、前記外部装置が接続されていると検知されたときには前記操作部の制御を前記操作部制御手段又は前記接続手段を介して前記外部装置の何れかに行わせるように切替える操作部制御切替手段と、を備え、前記操作部制御切替手段は、前記操作部に対する制御データの転送中であっても前記操作部の制御に関する切替えが自在である。
【００５６】
操作部制御に関する例として、電源投入直後は画像形成装置本体側が操作部の制御を行い、外部装置の起動確認後に外部装置に操作部の制御を切替えるシステムを考えると、操作部には、制御データ（例えば、ＬＣＤドライバへのコマンド、ＳＷ押下データ等）の送受と画面表示データ（例えば、ＬＣＤビットマップデータ）の送信を定期的に行う必要がある。特に、制御データの送受はユーザーのＳＷ押下データ取込み等のため、受信間隔が短く（数１０ｍｓ程度）設定されるのが一般的である。操作部制御の画像形成装置本体側と外部装置側とでの切替えが制御データの送受中は不可の場合は、現在送受信中でないことを確認後、次回の送受信開始前に操作部制御を切替える必要があり、送受信中確認の処理に伴う処理時間によるパフォーマンスの低下を招く恐れがある。この点、本発明によれば、操作部への制御データ転送中であっても、操作部制御切替手段による操作部の制御に関する切替えが可能であるので、送受信中確認の処理に伴う処理時間によるパフォーマンスの低下を回避することができる。
【００５７】
請求項６記載の発明は、請求項５記載の画像形成装置において、前記操作部制御切替手段は、前記操作部に対して前記画像形成装置本体側と前記外部装置側との双方の制御パス上に各々送受信バッファを備えて前記操作部の制御に関する切替えが自在である。
【００５８】
従って、操作部に対して画像形成装置本体側と外部装置側との双方の制御パス上に各々送受信バッファを備えることにより、容易に実現できる。
【００５９】
請求項７記載の発明は、請求項５又は６記載の画像形成装置において、前記操作部制御切替手段は、前記画像形成装置本体側と前記外部装置側とに共有されて、前記操作部の制御に関する切替えが可能であることを示すフラグを格納する記憶手段を備える。
【００６０】
従って、操作部制御切替手段による制御の切替えが可能であることを示すフラグを画像形成装置本体と外部装置とに共有されるレジスタ、メモリ等の記憶手段に格納しておくことにより、コマンドの送受によらず、任意のタイミングで操作部制御の切替えが可能となり、操作部制御の切替えに伴うパフォーマンスの低下を招くことのない画像形成装置を提供することができる。
【００６１】
請求項８記載の発明は、請求項５又は６記載の画像形成装置において、前記操作部制御切替手段は、前記操作部に対する画面データの転送中は所定タイミングまで前記操作部の制御に関する切替えを不可とする切替制限手段を備える。
【００６２】
操作部制御に関する別の例として、画面表示データについて考えると、画面表示データは画像形成装置本体側又は外部装置側がその時表示したい１画面分の表示データをメモリ上に有し、操作部に対して順次転送を行うのが一般的である。また、制御側のメモリ節約のため、一度には１画面分の表示データを生成せず数ライン分のデータを順次生成→順次転送を行うシステムもあることは言うまでもない。何れの方式によっても、その時表示したい画面データはその時の制御側が保持しているため１画面データの転送中に操作部制御手段を画像形成装置本体側から外部装置側或いは逆に切替えることは画面データの破壊を招くことになり好ましくない。この点、本発明によれば、操作部への画面データ転送中は所定のタイミングまでは操作部制御切替手段による操作部の制御に関する切替えを不可とすることにより、画面データの破壊を招くことなく、常に安定した画面データの表示が可能となる。
【００６３】
請求項９記載の発明は、請求項８記載の画像形成装置において、前記操作部制御切替手段は、前記画像形成装置本体側と前記外部装置側とに共有されて、前記操作部の制御に関する切替えが可能となる所定タイミングを示すフラグを格納する記憶手段を備える。
【００６４】
従って、操作部制御切替手段による操作部の制御に関する切替えが可能となる所定のタイミングを示すフラグを画像形成装置本体と外部装置とに共有されるレジスタ、メモリ等の記憶手段に格納させることにより、コマンドの送受によらず、所定のタイミング（画面データ転送中でない）で操作部制御の切替えを行うため、操作部制御の切替えに伴うパフォーマンスの低下を招くことなく常に安定した画面データの表示が可能な画像形成装置を提供することができる。
【００６５】
請求項１０記載の発明は、請求項７記載の画像形成装置において、前記フラグは、バイナリフラグである。
【００６６】
従って、切替え可能であることを示すフラグをバイナリフラグとすることによって、切替え制御が容易となる。
【００６７】
請求項１１記載の発明は、請求項９記載の画像形成装置において、前記フラグは、当該所定タイミングまでの計数値を示す計数フラグである。
【００６８】
従って、所定のタイミングを示すフラグを所定タイミングまでの計数値を示す計数フラグとすることによって、切替え可能となるまでの待ち時間を容易に把握でき、最適な切替えタイミングを生成し易くなる。
【００６９】
請求項１２記載の発明は、請求項１ないし１１の何れか一記載の画像形成装置において、複写機構成の前記画像形成装置本体に対して、前記外部装置は、スキャナユニット、プリンタユニット、ファックスユニットのうちの少なくとも一つである。
【００７０】
従って、スキャナ機能やプリンタ機能やファックス機能を拡張機能として持たせる場合に好適に適用できる。
【００７１】
【発明の実施の形態】
本発明の第一の実施の形態を図１に基づいて説明する。まず、メイン制御板１０１に搭載されて操作部制御手段及び接続検知手段として機能するＣＰＵ（中央処理装置）１０２は、例えば、ＲＯＭ（図示せず）に格納されたプログラムに従って画像形成装置本体であるデジタル複写機全体（図示せず）の制御を行う。操作部１０９はオペレータによる操作を受付けるキー入力部１１１及びデジタル複写機を含む画像形成装置の状態を表示する表示部１１２を備えている。このキー入力部１１１のデータスキャン及び表示部１１２の表示制御はスレーブ側操作部制御ＩＣ１１０によって行われる。
【００７２】
ＣＰＵ１０２が操作部１０９上の入力データの取込み及び表示データの変更を行いたい場合はメイン制御板１０１に搭載されたマスター側操作部制御ＩＣ１０５を用いて行う。ＣＰＵ１０２は必要な操作をコマンドによってマスター側操作部制御ＩＣ１０５に通達する。マスター側操作部制御ＩＣ１０５は入力されたコマンド（入力データの取込みなのか表示データの変更なのか）に従い同期シリアル通信データを生成し、スレーブ側操作部制御ＩＣ１１０に送信する。
【００７３】
スレーブ側操作部制御ＩＣ１１０は、受信したデータに従って、入力データの取込みの場合は入力データをマスター側操作部制御ＩＣ１０５に送信し、表示データの変更の場合はデータに従い表示データを変更する。
【００７４】
また、メイン制御板１０１に搭載された外部バス１０６を接続手段として、機能を拡張するための外部装置（ＦＡＸユニット、プリンタユニット、スキャナユニット）１〜３：１１３〜１１５が接続自在とされている。図１に示す例は、これらの外部装置１〜３：１１３〜１１５が接続された状態例を示している。
【００７５】
ここに、本実施の形態においては、ＣＰＵ１０２と外部バス１０６との間には操作部制御切替手段としての操作部制御パス切替え部１１６が介在されており、この操作部制御パス切替え部１１６による制御パスの切替えによってマスター側操作部制御ＩＣ１０５へのコマンド発行をＣＰＵ１０２からも外部バス１０６を経由して外部装置１〜３：１１３〜１１５からも可能としている。
【００７６】
このような構成において、外部装置１〜３：１１３〜１１５の少なくとも一つが外部バス１０６に接続されているか否かは、ＣＰＵ１０２によって検知されるが（接続検知手段）、これらの外部装置１〜３：１１３〜１１５の何れもが接続されていないと検知された場合には、操作部制御パス切替え部１１６は機能せず、操作部１０９に関する制御はＣＰＵ１０２のみによって行われるように操作部１０９の制御に関する制御パスが設定される。これは、電源投入時であるか否かを問わず、同様に制御される。
【００７７】
一方、ＣＰＵ１０２によって外部装置１〜３：１１３〜１１５の少なくとも一つが外部バス１０６に接続されていると検知された場合の操作部１０９に関する制御について説明する。まず、デジタル複写機本体の電源投入時においては、操作部制御パス切替え部１１６によって、操作部１０９の制御に関する制御パスがＣＰＵ１０２〜マスター側操作部制御ＩＣ１０５に設定される。この時、メイン制御板１０１に搭載されたフラッシュＲＯＭ（図示せず）に内蔵されたプログラムによって起動したＣＰＵ１０２が操作部制御手段として外部装置非接続時と同様に操作部１０９の制御を行う。この間、外部装置１〜３：１１３〜１１５では圧縮プログラムの伸張処理が行われ、プログラムの起動待ち状態となっている。
【００７８】
このような電源投入による立上げ後、予め設定された所定時間が経過すると、操作部制御パス切替え部１１６は、操作部１０９の制御に関する制御パスを外部装置１〜３：１１３〜１１５〜マスター側操作部制御ＩＣ１０５に切替え設定する。この時、外部装置１〜３：１１３〜１１５は圧縮プログラムの伸張処理が終了しプログラムが起動している。よって、プログラムの起動した外部装置１〜３：１１３〜１１５は外部バス１０６を経由してマスター側操作部制御ＩＣ１０５へのコマンド発行を行い、操作部１０９の制御を行う。この時、デジタル複写機本体側のＣＰＵ１０２は操作部１０９に対する制御を停止する。
【００７９】
このように、本実施の形態によれば、外部装置１〜３：１１３〜１１５が接続されていなければ電源投入時であるか否かを問わず操作部１０９の制御を操作部制御手段であるＣＰＵ１０２に行わせるが、外部装置１〜３：１１３〜１１５が接続されている状態であっても当該デジタル複写機本体の電源投入時は操作部１０９の制御を操作部制御手段であるＣＰＵ１０２に行わせ、予め定められた所定時間経過した時点で操作部１０９の制御を外部バス１０６を介して外部装置１〜３：１１３〜１１５に行わせるように操作部１０９に対する制御権を移行させることによって、電源投入から操作部１０９に表示データが出力されるまでのタイムラグをシステム全体として最短化させることができる。よって、ユーザーに不信感を与えることがなくなる。結果的に、当該画像形成装置の立上り時間も短縮化し、かつ、外部装置１〜３：１１３〜１１５による操作部１０９の制御も適正に可能となる。
【００８０】
本発明の第二の実施の形態を図２に基づいて説明する。第一の実施の形態で示した部分と同一部分は同一符号を用いて示し、説明も省略する（以降の各実施の形態でも同様とする）。
【００８１】
本実施の形態では、メイン制御板１０１中に、デジタル複写機本体の電源投入に伴い予め設定された所定時間の設定値を計数して操作部制御パス切替え部１１６に対して制御切替信号となるパス切り替え要求信号を出力するタイマ手段としてのタイマ１０７を付加したものである。
【００８２】
このような構成によれば、タイマ１０７は電源投入に伴い計数動作を開始し、その計数値が予め設定されている所定時間の設定値と一致したとき、操作部制御パス切替え部１１６に対してパス切り替え要求信号を出力する。操作部制御パス切替え部１１６はタイマ１０７からのパス切り替え要求信号によって操作部１０９の制御に関する制御パスを“ＣＰＵ１０２〜マスター側操作部制御ＩＣ１０５”から“外部装置１〜３：１１３〜１１５〜マスター側操作部制御ＩＣ１０５”に切り替える。このように操作部１０９に対する制御のＣＰＵ１０２（操作部制御手段）から外部装置１〜３：１１３〜１１５への移行を予め定められた所定時間計数動作するタイマ１０７のパス切り替え要求信号を利用して行うことによって、プログラムを介在させずに制御権の移行を行わせることができる。
【００８３】
本発明の第三の実施の形態を図３に基づいて説明する。本実施の形態では、タイマ１０７が計数する所定時間に関する情報（設定値）を書換え自在に格納する不揮発性メモリ１０８を付加したものである。
【００８４】
不揮発性メモリ１０８に格納された設定値はＣＰＵ１０２及び外部装置１〜３：１１３〜１１５の両方から読出し、書換えが可能となっており、外部装置１〜３：１１３〜１１５側のプログラムの変更等によって制御権の移行時間を変更する必要が生じた場合は書換えを行い、所定時間を変更する。
【００８５】
従って、本実施の形態によれば、予め定められた所定時間に関する情報を不揮発性メモリ１０８に書換え自在に格納させておくことにより、その時間を適宜変更することにより、外部装置１〜３：１１３〜１１５側のプログラムの変更等によって制御権の移行時間を変更する必要が生じた場合でも本体プログラムの変更なく対応することができる。
【００８６】
本発明の第四の実施の形態を図４に基づいて説明する。本実施の形態では、操作部１０９の制御に関してＣＰＵ１０２から外部装置１〜３：１１３〜１１５側への制御権の移行を、電源投入後にデジタル複写機本体側用の制御プログラムと外部装置側用の制御プログラムとの整合がとれたタイミング後にデジタル複写機本体側用の制御プログラムに従い行わせるようにしたものである。
【００８７】
図４は電源投入時のデジタル複写機本体側用の制御プログラムと外部装置側用の制御プログラムとの制御の状態を示す概略フローチャートである。デジタル複写機本体の電源が投入されると、本体側にあってはメイン制御板１０１に搭載されたフラッシュＲＯＭ（図示せず）に内蔵された制御プログラムが起動し（ステップＭ１）、外部装置側に対してプログラム起動問い合わせをして応答信号ＡＣＫ待ち状態となる（Ｍ２）。一方、外部装置側にあってはイニシャル伸張プログラムが起動することにより（ステップＳ１）、前述したように圧縮プログラムの伸張処理が行われ（Ｓ２，Ｓ３）、その後、通常の制御プログラムが起動する（Ｓ４）。この時、本体側からのプログラム起動問い合わせを受けているので、応答信号ＡＣＫを本体側に返すことにより起動した旨を知らせる。これにより、双方の制御プログラムは何れも起動状態となって整合がとれるので、本体側では外部装置側に対して操作部制御権移行の問い合わせをして応答信号ＡＣＫ待ち状態となり（Ｍ３）、外部装置側は応答信号ＡＣＫを本体側に返すことにより制御権移行を受ける旨を知らせる。この通知を受けて、本体側の制御プログラムは操作部制御パス切替え部１１６における制御パスを外部装置側に切替え（Ｍ４）、かつ、外部装置側に対して操作部制御権移行を通知し、通常の本体制御を開始する（Ｍ５）。操作部制御権移行の通知を受けた外部装置側の制御プログラムでは、切替えられている制御パスを利用して操作部１０９の制御を開始するとともに（Ｓ５）、引き続き、この操作部１０９の制御や外部装置内の制御処理を実行する（Ｓ６）。
【００８８】
このように、本実施の形態によれば、電源投入時の操作部制御の制御権のＣＰＵ１０２から外部装置１〜３：１１３〜１１５への移行を、デジタル複写機本体側用と外部装置側用との各々の制御プログラムの整合がとれた後のタイミングで制御プログラムにより行わせることにより、柔軟性の高い対応を取ることができる。
【００８９】
本発明の第五の実施の形態を図５に基づいて説明する。本実施の形態の場合、基本的な構成・動作は第一の実施の形態に準ずる。即ち、図１を参照して説明したように、外部装置１〜３：１１３〜１１５が外部バス１０６に接続されているか否かは、ＣＰＵ１０２によって検知されるが（接続検知手段）、これらの外部装置１〜３：１１３〜１１５が接続されていないと検知された場合には、操作部制御パス切替え部１１６は機能せず、操作部１０９に関する制御はＣＰＵ１０２のみによって行われるように操作部１０９の制御に関する制御パスが設定される。これは、電源投入時であるか否かを問わず、同様に制御される。
【００９０】
一方、ＣＰＵ１０２によって外部装置１〜３：１１３〜１１５が外部バス１０６に接続されていると検知された場合にあって、デジタル複写機本体の電源が投入されたときには、操作部制御パス切替え部１１６によって、操作部１０９の制御に関する制御パスがＣＰＵ１０２〜マスター側操作部制御ＩＣ１０５に設定される。この時、メイン制御板１０１に搭載されたフラッシュＲＯＭ（図示せず）に内蔵されたプログラムによって起動したＣＰＵ１０２が操作部制御手段として外部装置非接続時と同様に操作部１０９の制御を行う。この間、外部装置１〜３：１１３〜１１５では圧縮プログラムの伸張処理が行われ、プログラムの起動待ち状態となっている。
【００９１】
このような電源投入による立上げ後、例えば、所定時間が経過して、外部装置１〜３：１１３〜１１５側の制御プログラムの起動が確認されると、当該制御プログラムは外部バス１０６を経由して操作部制御パス切替え部１１６によって、操作部１０９の制御に関する制御パスを外部装置１〜３：１１３〜１１５〜マスター側操作部制御ＩＣ１０５に切替え設定する。そして、外部バス１０６を経由してマスター側操作部制御ＩＣ１０５へのコマンド発行を行い、操作部１０９の制御を行う。この時、デジタル複写機本体側のＣＰＵ１０２は操作部１０９に対する制御を停止する。
【００９２】
ここに、本実施の形態では、操作部制御パス切替え部１１６に関して、操作部１０９に対する制御データの転送中であっても当該操作部１０９の制御に関する制御パスの切替えを自在としたものであり、その操作部制御パス切替え部１１６の構成例を図５に示す。即ち、本実施の形態の操作部制御パス切替え部１１６にあっては、操作部１０９側に接続されたマスター側操作部制御ＩＣ１０５とＣＰＵ１０２、外部バス１０６（外部装置に相当）との間に、ＣＰＵ用バッファ１２１ａと外部バス用バッファ１２１ｂとを有する送受信バッファ１２１と何れかのバッファ１２１ａ，１２１ｂを選択するセレクタ１２２とを有し、ＣＰＵ１０２及び外部バス１０６に接続されたパス切り替え部コントローラ１２３により制御可能に構成されている。即ち、操作部制御パス切替え部１１６は、ＣＰＵ１０２及び外部バス１０６の何れに対しても制御データの送受信バッファ１２１ａ，１２１ｂを有しており、マスター側操作部制御ＩＣ１０５の動作終了後、操作部１０９に対する制御パスの切替えを行うことが可能であるため、ＣＰＵ１０２及び外部バス１０６はマスター側操作部制御ＩＣ１０５の送受信動作中であっても制御パスの切替えが可能となる。
【００９３】
よって、本実施の形態によれば、操作部１０９への制御データ転送中であっても、操作部制御パス切替え部１１６による操作部１０９の制御に関する切替えが可能であるので、送受信中確認の処理に伴う処理時間によるパフォーマンスの低下を回避することができる。つまり、制御データの送受中は制御パスの切替えが不可の場合には、現在送受信中でないことを確認後、次回の送受信開始前に操作部制御を切替える必要があり、送受信中確認の処理に伴う処理時間によるパフォーマンスの低下を招く恐れがあるが、このような不具合が回避される。
【００９４】
本発明の第六の実施の形態を図６に基づいて説明する。本実施の形態の操作部制御パス切替え部１１６では、図６に示すように、デジタル複写機本体側（ＣＰＵ１０２側）と外部バス１０６側（外部装置側）とに共有される記憶手段としてのレジスタ（又は、メモリ）１２４を備え、操作部１０９の制御に関する切替えが可能であることを示すフラグ（パス切り替え可能フラグ）をこのレジスタ１２４に格納しておくことにより、パス切り替え部コントローラ１２３を介して切替え制御できるように構成されている。
【００９５】
即ち、操作部制御パス切替え部１１６による制御パスの切替え動作が可能な場合には、パス切り替え可能フラグがレジスタ１２４にセットされるので、ＣＰＵ１０２又は外部バス１０６経由で外部装置がパス切り替え部コントローラ１２３によりバッファ１２１ａ，１２１ｂを選択することにより制御パスの切替えを行う。
【００９６】
従って、本実施の形態によれば、操作部制御パス切替え部１１６による制御の切替えが可能であることを示すフラグを共有のレジスタ１２４に格納しておくことにより、コマンドの送受によらず、任意のタイミングで操作部制御の切替えが可能となる。
【００９７】
本発明の第七の実施の形態を図７に基づいて説明する。本実施の形態は、操作部１０９への画面データの転送中の処理制御に関するものであり、操作部１０９に対する画面データの転送中は所定タイミングまでは操作部１０９の制御に関する制御パスの切替えを不可とするようにしたものである。このため、本実施の形態の操作部制御パス切替え部１１６は、図７に示すように、デジタル複写機本体側（ＣＰＵ１０２側）と外部バス１０６側（外部装置側）とに共有される切替制限手段としてのレジスタ（又は、メモリ）１２５を備え、画面データ転送中は１画面データ転送中フラグを格納することにより、レジスタ１２４のパス切り替え可能フラグのセットを規制するように構成されている。
【００９８】
即ち、一般に画面データの転送には操作部１０９への複数回の転送データ送信が必要であり、この一連の画像データ転送中の場合は、１画面データ転送中フラグがレジスタ１２５にセットされる。パス切り替え部コントローラ１２３は、レジスタ１２５にセットされたこの１画面データ転送中フラグにより現在、画像データ転送中であると判断し、ＣＰＵ１０２又は外部バス１０６経由で外部装置がパス切り替え部コントローラ１２３により制御パスのパス切替えを行うことを禁止する。一方、レジスタ１２５に格納された１画面データ転送中フラグの状態により現在、画像データ転送中でない場合にはパス切り替え部コントローラ１２３により制御パスの切替えを行うことを許可する。
【００９９】
従って、操作部１０９への画面データ転送中は所定のタイミングまでは操作部制御パス切替え部１１６による操作部１０９の制御に関する制御パスの切替えを不可とすることにより、画面データの破壊を招くことなく、常に安定した画面データの表示が可能となる。
【０１００】
ここに、図７を参照して、より詳細に説明する。まず、レジスタ１２５に格納された１画面データ転送中フラグにより、現在、画像データ転送中の場合はレジスタ１２４のパス切り替え可能フラグがクリアされ、画像データ転送中でない場合はパス切り替え可能フラグがレジスタ１２４にセットされる。ＣＰＵ１０２又は外部バス１０６経由で外部装置は、レジスタ１２４に格納されたパス切り替え可能フラグの状態により、現在、操作部１０９への画像データの転送中でない又は制御データの転送中である場合は、パス切替えが可能であることを判断し、必要に応じて制御パスの切替えを行うことが可能となる。従って、レジスタ１２５における１画面データ転送中フラグの状態により、現在、操作部１０９への一連の画面データ転送中の場合には制御パスの切替えが不可であることを判断し、パス切り替え可能フラグがレジスタ１２４にセットされるのを待つことが可能となる。
【０１０１】
この場合、レジスタ１２４に格納されるパス切り替え可能フラグをバイナリフラグとすれば、ＣＰＵ１０２又は外部バス１０６経由で外部装置は、“０”：パス切り替え不可、“１”：パス切り替え可、を判断することが可能となり、制御が容易となる。
【０１０２】
或いは、レジスタ１２４に格納されるパス切り替え可能フラグを所定タイミングまでの計数値を示す計数フラグとすれば、ＣＰＵ１０２又は外部バス１０６経由で外部装置は、“０”：パス切り替え可、“０以外”：パス切り替え不可、数値はパス切り替え可となるまでの計数値となり、現在、制御パスの切替え不可の場合には、パス切替え可となるまでのタイミングを把握することが可能となる。
【０１０３】
【発明の効果】
請求項１記載の発明によれば、接続検知手段により外部装置が接続されていないと検知されたときには操作部の制御を操作部制御手段に行わせる一方、外部装置が接続されていると検知されたときには操作部の制御を操作部制御手段又は接続手段を介して外部装置の何れかに行わせるように切替える操作部制御切替手段を備える構成において、外部装置が接続されていなければ電源投入時であるか否かを問わず操作部の制御を操作部制御手段に行わせるが、外部装置が接続されている状態であっても当該画像形成装置の電源投入時は操作部の制御を操作部制御手段に行わせ、予め定められた所定時間経過した時点で操作部の制御を前記接続手段を介して外部装置に行わせるようにしたので、電源投入から操作部に表示データが出力されるまでのタイムラグをシステム全体として最短化させることができ、ユーザーに不信感を与えることがなく、画像形成装置の立上り時間も短縮化させ、かつ、外部装置による操作部の制御を行わせることができる。
【０１０４】
請求項２記載の発明によれば、請求項１記載の発明を実現する上で、操作部制御の操作部制御手段から外部装置への移行を予め定められた所定時間計数動作するタイマの制御切替信号を利用して行うようにしたので、プログラムを介在させずに制御権の移行を行わせることができる。
【０１０５】
請求項３記載の発明によれば、請求項２記載の発明を実現する上で、予め定められた所定時間に関する情報を不揮発性メモリに書換え自在に格納させておくようにしたので、その時間を適宜変更することにより、外部装置側のプログラムの変更等によって制御権の移行時間を変更する必要が生じた場合でも本体プログラムの変更なく対応することができる。
【０１０６】
請求項４記載の発明によれば、請求項１記載の画像形成装置において、電源投入時の操作部制御の制御権の操作部制御手段から外部装置への移行を、画像形成装置本体側用と外部装置側用との各々の制御プログラムの整合がとれた後のタイミングで制御プログラムにより行わせるようにしたので、柔軟性の高い対応を取ることができる。
【０１０７】
請求項５記載の発明によれば、接続検知手段により外部装置が接続されていないと検知されたときには操作部の制御を操作部制御手段に行わせる一方、外部装置が接続されていると検知されたときには操作部の制御を操作部制御手段又は接続手段を介して外部装置の何れかに行わせるように切替える操作部制御切替手段を備える構成において、操作部への制御データ転送中であっても、操作部制御切替手段による操作部の制御に関する切替えを可能とすることにより、送受信中確認の処理に伴う処理時間によるパフォーマンスの低下を回避することができる。
【０１０８】
請求項６記載の発明によれば、操作部に対して画像形成装置本体側と外部装置側との双方の制御パス上に各々送受信バッファを備えるので、請求項５記載の発明を容易に実現することができる。
【０１０９】
請求項７記載の発明によれば、請求項５又は６記載の画像形成装置において、操作部制御切替手段による制御の切替えが可能であることを示すフラグを画像形成装置本体と外部装置とに共有されるレジスタ、メモリ等の記憶手段に格納させるようにしたので、コマンドの送受によらず、任意のタイミングで操作部制御の切替えが可能となり、操作部制御の切替えに伴うパフォーマンスの低下を招くことのない画像形成装置を提供することができる。
【０１１０】
請求項８記載の発明によれば、請求項５又は６記載の画像形成装置において、操作部への画面データ転送中は所定のタイミングまでは操作部制御切替手段による操作部の制御に関する切替えを不可としたので、画面データの破壊を招くことなく、常に安定した画面データの表示を行わせることができる。
【０１１１】
請求項９記載の発明によれば、請求項８記載の画像形成装置において、操作部制御切替手段による操作部の制御に関する切替えが可能となる所定のタイミングを示すフラグを画像形成装置本体と外部装置とに共有されるレジスタ、メモリ等の記憶手段に格納させるようにしたので、コマンドの送受によらず、所定のタイミング（画面データ転送中でない）で操作部制御の切替えを行うため、操作部制御の切替えに伴うパフォーマンスの低下を招くことなく常に安定した画面データの表示が可能な画像形成装置を提供することができる。
【０１１２】
請求項１０記載の発明によれば、請求項７記載の画像形成装置において、フラグをバイナリフラグとしたので、切替え制御を容易にすることができる。
【０１１３】
請求項１１記載の発明によれば、請求項９記載の画像形成装置において、フラグを所定タイミングまでの計数値を示す計数フラグとしたので、切替え可能となるまでの待ち時間を容易に把握することができ、最適な切替えタイミングを生成し易くすることができる。
【０１１４】
請求項１２記載の発明によれば、請求項１ないし１１の何れか一記載の画像形成装置を、スキャナ機能やプリンタ機能やファックス機能を拡張機能として持たせる場合に好適に適用することができる。
【図面の簡単な説明】
【図１】本発明の第一の実施の形態を示す概略ブロック図である。
【図２】本発明の第二の実施の形態を示す概略ブロック図である。
【図３】本発明の第三の実施の形態を示す概略ブロック図である。
【図４】本発明の第四の実施の形態を示す概略フローチャートである。
【図５】本発明の第五の実施の形態を示す概略ブロック図である。
【図６】本発明の第六の実施の形態を示す概略ブロック図である。
【図７】本発明の第七の実施の形態を示す概略ブロック図である。
【図８】従来例を示す外部装置非接続時の概略ブロック図である。
【図９】従来例を示す外部装置接続時の概略ブロック図である。
【図１０】他の従来例を示す概略ブロック図である。
【符号の説明】
１０２      操作部制御手段、接続検知手段
１０６      接続手段
１０７      タイマ手段
１０８      不揮発性メモリ
１０９      操作部
１１３〜１１５      外部装置
１１６      操作部制御切替手段
１２１      送受信バッファ
１２４      記憶手段
１２５      切替制限手段
【図１】
2004266422.tif 000003
【図２】
2004266422.tif 000004
【図３】
2004266422.tif 000005
【図４】
2004266422.tif 000006
【図５】
2004266422.tif 000007
【図６】
2004266422.tif 000008
【図７】
2004266422.tif 000009
【図８】
2004266422.tif 000010
【図９】
2004266422.tif 000011
【図１０】
2004266422.tif 000012